(57)【要約】【課題】従来よりも使い勝手のよいレーダー探知機、ナビゲーション装置等の車載用電子機器を提供する。【解決手段】通常モードで、詳細表示の交通監視ポイント５５ｂのタッチを検出すると、吹き出し内部に「サイレント」の文字を表示し、当該交通監視ポイント５５ｂをサイレントモードに切り替える。サイレントモードは、交通監視ポイントに接近した際の表示部への表示による警告は行なうが、音声による警告は行なわないモードである。また、サイレントモードで、さらに詳細表示の交通監視ポイント５５ｂのタッチを検出すると、吹き出し内部に「キャンセル」の文字を表示し、当該交通監視ポイントをキャンセルモードに切り替える。キャンセルモードは、表示による警告も、音声による警告も行なわないモードである。【選択図】図５
2010223620.tif 000002
【特許請求の範囲】
【請求項１】
経路検索の開始位置を設定する開始位置設定手段と、
経路検索の終了位置を設定する終了位置設定手段と、
経路検索のための道路位置情報と警告箇所に関する情報を含む地図情報を記憶する記憶手段と、
前記開始位置設定手段によって設定された開始位置から、前記終了位置設定手段によって設定された終了位置にいたる経路を、前記記憶手段に記憶された地図情報に基づいて検索する経路検索手段と、
前記経路検索手段によって検索された経路の少なくとも一部を表示する経路表示手段と、
現在位置を検出する位置検出手段と、
前記位置検出手段によって検出した現在位置と、前記記憶手段に記憶された警告箇所に関する情報とに基づいて警告を発する警告手段と
を備える車載用電子機器であって、
前記経路検索手段によって検索された経路を通過する際に必要となる前記警告箇所を表示して、表示した警告箇所の警告態様を、ユーザからの入力に基づき設定する警告態様設定手段を備え、
前記警告手段は、前記警告態様設定手段に設定された警告態様に基づき警告を発すること
を特徴とする車載用電子機器。
【請求項２】
前記警告態様として、警告を行なわない態様を含むこと
を特徴とする請求項１に記載の車載用電子機器。
【請求項３】
前記警告手段は、光による警告と、音による警告が可能な構成であり、
前記警告態様として、音による警告を行なわない態様を含むこと
を特徴とする請求項１または２に記載の車載用電子機器。
【請求項４】
前記警告態様設定手段は、前記経路上に存在する複数の警告箇所を表示し、警告箇所ごとに前記警告態様を設定可能であり、当該複数の警告箇所の中から、ユーザから設定対象の警告箇所の選択を受けつけ、選択された警告箇所を設定対象とすること
を特徴とする請求項１〜３のいずれかに記載の車載用電子機器。
【請求項５】
前記記憶手段は、前記警告箇所に関する情報として、警告箇所の位置情報とともに当該警告箇所の位置情報に対応づけて当該警告箇所に関する簡易情報と詳細情報とを記憶しておき、
前記警告態様設定手段は、当該警告箇所を示す簡易情報の表示を行い、ユーザからの前記簡易情報の選択を受けつけ、簡易情報の選択を受け付けた場合には、当該簡易情報に対応する警告箇所に関する詳細情報を表示すること
を特徴とする請求項１〜４のいずれかに記載の車載用電子機器。
【請求項６】
前記詳細情報は、警告手段によって発する警告内容を含む情報とすること
を特徴とする請求項５に記載の車載用電子機器。
【請求項７】
前記詳細情報は、当該警告箇所の位置との関連を示す描画とともに行なうこと
を特徴とする請求項５または６に記載の車載用電子機器。
【請求項８】
前記警告態様設定手段は、前記詳細情報を表示した後、当該詳細情報に対応する警告箇所に関する情報の警告態様の変更操作が所定時間ない場合、当該詳細表示を終了し、前記簡易情報の表示に戻すこと
を特徴とする請求項５〜７のいずれかに記載の車載用電子機器。
【請求項９】
前記記憶手段は、前記警告箇所に関する情報として、警告箇所の位置情報とともに当該警告箇所の位置情報に対応づけて警告の種別を記憶しており、
前記警告態様設定手段は、前記警告の種別ごとに異なる表示態様で、前記警告箇所を表示すること
を特徴とする請求項１〜８のいずれかに記載の車載用電子機器。  
【請求項１０】
前記警告態様設定手段は、前記警告の種別ごとの警告態様を設定すること
を特徴とする請求項９に記載の車載用電子機器。
【請求項１１】
前記経路検索手段は、前記経路を複数検索し、
前記経路表示手段は、前記経路検索手段によって検索された複数の経路を表示し、
さらに、前記経路表示手段に表示された複数の経路の中からナビゲーション対象とする経路を選択する経路選択手段を備えること
を特徴とする請求項１〜１０のいずれかに記載の車載用電子機器。
【請求項１２】
前記経路検索手段によって検索された各経路の警告箇所の数に関する表示を行う経路別警告対象箇所数表示手段を備えること
を特徴とする請求項１１に記載の車載用電子機器。
【請求項１３】
前記開始位置設定手段は、ユーザからの入力に基づき前記開始位置を設定し、
前記終了位置設定手段は、ユーザからの入力に基づき前記終了位置を設定すること
を特徴とする請求項１〜１２のいずれかに記載の車載用電子機器。
【請求項１４】
前記警告態様設定手段は、前記警告箇所における警告態様を不揮発性の記憶装置に記憶することで設定すること
を特徴とする請求項１〜１３のいずれかに記載の車載用電子機器。
【請求項１５】
請求項１〜１４のいずれかに記載の電子機器における各手段としての機能をコンピュータに実現させるためのプログラム。
【発明の詳細な説明】
【技術分野】
【０００１】
本発明は、たとえばレーダー探知機、ナビゲーション装置等として適用可能な車載用電子機器に関するものである。
【背景技術】
【０００２】
近年、自動車の速度を測定する速度測定装置が路上周辺等に多数設置されるようになっている。速度測定装置の一例を示すと、所定周波数帯域のマイクロ波を車両に向けて発射し、その反射波を受信して車両の走行スピードを測定するようになっている。
【０００３】
一方、係る速度測定装置の存在を検出するため、その速度測定装置から発射されたマイクロ波を検出して警報を出力するように構成されたマイクロ波検出器が従来から知られている。しかし、速度測定装置の設置位置や、道路の状態その他の周囲環境により、従来のマイクロ波検出器は、比較的遠くから検出可能なものと、比較的近づいてからでないと検出しにくいものがある。
【０００４】
また、速度測定装置の中には、従来のマイクロ波検出器では検出できないものもある。一例を挙げると、ループ式と称されるように、地中にループ状のコイルを埋め込み、そのコイルの上を車両が通過するのを検知するとともに車速も判定するものがある。また、マイクロ波以外の光を用いて車両の速度を検出するものもある。
【０００５】
そこで、最近では、ＧＰＳ（Global Positioning System ）情報を利用し、予め速度測定装置の設置位置情報を記憶させておき、現在位置が記憶した設置位置に近づいた場合（所定の関係になった場合）に、マイクロ波の検知の有無に関係なく警告を発するようにした車載用電子機器がある（特許文献１）。
【０００６】
たとえば、現在位置が、速度測定装置の設置位置から１０００ｍ以内に入った位置になった場合に第一の警告を行い、さらに速度測定装置の設置位置から５００ｍ以内に入った位置になった場合に、第二の警告を行うなどしている。
【先行技術文献】
【特許文献】
【０００７】
【特許文献１】特開２００８−６４５８８号公報
【発明の概要】
【発明が解決しようとする課題】
【０００８】
しかしながら、こうした車載用電子機器では、速度測定装置の設置位置情報は、単にその緯度・経度に関する情報に基づいて警告を発している。そのため、速度測定装置と現在位置との距離が警告対象の距離に接近した場合にしか、警告が発せられず、予め速度測定装置の存在を知ることができない。
【０００９】
しかも、速度測定装置の設置位置情報は、単にその緯度・経度に関する情報であるから、たとえ警告が発せられたとしても、その警告対象の速度測定装置が、現在走行中の道路上にあるとは限らず、近傍の走行していない道路上にある場合もある。
【００１０】
したがって、走行中の道路上の警告ポイントをあらかじめ予測することが困難であるという問題があった。
【００１１】
また、たとえば幹線道路沿いに多数の速度測定装置が設定されている場合には、当該幹線道路を走行している際に、警告が何度もなされ、うるさく感じられる区間があった。このような場合にも、走行する道路上の警告が不要なポイントだけを警告しないようにキャンセルすることはできなかった。
以上のように、警告に関する使い勝手が悪い面があった。
【００１２】
そこで、本発明は、係る問題を解決するためになされたもので、従来よりも使い勝手のよいレーダー探知機等の車載用電子機器を提供することを目的とする。
【課題を解決するための手段】
【００１３】
上述した目的を達成するために、本発明に係る車載用電子機器は、（１）経路検索の開始位置を設定する開始位置設定手段と、経路検索の終了位置を設定する終了位置設定手段と、経路検索のための道路位置情報と警告箇所に関する情報を含む地図情報を記憶する記憶手段と、前記開始位置設定手段によって設定された開始位置から、前記終了位置設定手段によって設定された終了位置にいたる経路を、前記記憶手段に記憶された地図情報に基づいて検索する経路検索手段と、前記経路検索手段によって検索された経路の少なくとも一部を表示する経路表示手段と、現在位置を検出する位置検出手段と、前記位置検出手段によって検出した現在位置と、前記記憶手段に記憶された警告箇所に関する情報とに基づいて警告を発する警告手段とを備える車載用電子機器であって、前記経路検索手段によって検索された経路を通過する際に必要となる前記警告箇所を表示して、表示した警告箇所の警告態様を、ユーザからの入力に基づき設定する警告態様設定手段を備え、前記警告手段は、前記警告態様設定手段に設定された警告態様に基づき警告を発する構成とした。
【００１４】
本発明によれば、開始位置から終了位置にいたる少なくとも一部の経路が表示され、その経路を通過する際に必要となる警告箇所が表示される。したがって、経路を通過する際の警告箇所を予め知ることができる。例えば、従来のレーダー探知機では、警告ポイントの５００ｍ・１０００ｍ前の地点でしか警告等ができず、警告ポイントをあらかじめ予測はできなかったが、本発明を適用すれば、予め警報ポイントを予測することができる。
【００１５】
また、このようにすれば、表示された警告箇所の警告態様を、ユーザからの入力に基づき設定することができ、設定した警告態様に基づいた警告が発せられる。したがって、ユーザが望む警告態様での警告がされることなり、ユーザが持つ警告態様の不満を、事前に防止ないし解消することができる。
【００１６】
（２）前記警告態様として、警告を行なわない態様を含むようにするとよい。
【００１７】
（３）前記警告手段は、光による警告と、音による警告が可能な構成であり、前記警告態様として、音による警告を行なわない態様を含むとよい。
【００１８】
上記（２）（３）のようにすれば、ユーザが、警告音が鳴ることが煩わしいと感じることを事前に防止することができる。なお、このほかにも、例えば、音量を設定できるようにしたり、音声と電子音とのいずれで警告するかなどを警告態様として設定できるようしたりするとよい。
【００１９】
なお、警告箇所の表示は、警告箇所そのものの位置として記憶手段に記憶された位置に行なってもよいし、経路上で警告を発する位置に対応する位置に行なってもよい。例えば、経路から若干離れた場所にあるが経路上から所定距離内にある場合には警告対象となる警告箇所がある場合、経路上から離れた当該警告箇所そのものの位置に対応する位置に表示してもよいし、経路上で最初に当該所定距離内に至る位置に表示をするようにしてもよい。
【００２０】
（４）前記警告態様設定手段は、前記経路上に存在する複数の警告箇所を表示し、警告箇所ごとに前記警告態様を設定可能であり、当該複数の警告箇所の中から、ユーザから設定対象の警告箇所の選択を受けつけ、選択された警告箇所を設定対象とするとよい。このようにすれば、表示された、経路上に存在する複数の警告箇所の中から、ユーザが選択した警告箇所が設定対象とされ、警告箇所ごとに警報態様が設定できる。したがって、例えば、経路上の警告がうるさく感じられる区間の中で不要な警告箇所だけ警告を行なわない警告態様等とすることができる。
【００２１】
（５）前記記憶手段は、前記警告箇所に関する情報として、警告箇所の位置情報とともに当該警告箇所の位置情報に対応づけて当該警告箇所に関する簡易情報と詳細情報とを記憶しておき、前記警告態様設定手段は、当該警告箇所を示す簡易情報の表示を行い、ユーザからの前記簡易情報の選択を受けつけ、簡易情報の選択を受け付けた場合には、当該簡易情報に対応する警告箇所に関する詳細情報を表示するとよい。
【００２２】
簡易情報とは、詳細情報よりも情報量の少ない情報をいう。例えば、簡易情報は、警告の種別を表象するアイコンやマークや文字とするとよい。一方、詳細情報は警告の内容を示す文章や絵とするとよい。
【００２３】
（６）前記詳細情報は、警告手段によって発する警告内容を含む情報とするとよい。例えば、警告手段として液晶ディスプレイを用いる場合、当該液晶ディスプレイに表示する警告内容を、詳細情報の中に含むようにするとよい。このようにすれば、どのような警告がなされるのかが詳細情報を見るだけで事前に分かる。したがって、警告態様を変更すべき警告箇所であるのかどうかを容易に判断することができ、設定をさらに容易に行うことができる。詳細情報は、例えば、画面下部のような所定の位置に表示するようにしてもよい。
【００２４】
（７）また、前記詳細情報は、当該警告箇所の位置との関連を示す描画とともに行なうとよい。警告箇所の位置との関連を示す描画としては、例えば警告箇所の位置と詳細情報を表示する部位とを線で結んだり、警告箇所の位置から吹き出しを描画し当該吹き出しの中に詳細情報を表示したりするとよい。このようにすれば、どの場所でどのような警告がなされるかその対応関係を容易に把握することができる。
【００２５】
なお、簡易情報による表示を残したまま、詳細情報による表示を行うようにしてもよいし、簡易情報による表示と詳細情報による表示を切り替えられるようにしてもよい。例えば、設定のためのタッチパネルを備える構成であれば、簡易情報の表示領域のタッチが検出された場合に、詳細情報の表示に切り替え、詳細情報の表示領域のタッチが検出された場合、簡易情報の表示に切り替えるようにしてもよい。
【００２６】
また、表示態様の設定は、例えば、表示態様の選択枝を表示し、当該選択枝から選択できるようにするとよい。特に、詳細情報の表示領域内に選択枝を表示するようにするとよい。このようにすれば、各警告箇所でいずれの表示態様が選択されているかが容易に分かる。
【００２７】
（８）前記警告態様設定手段は、前記詳細情報を表示した後、当該詳細情報に対応する警告箇所に関する情報の警告態様の変更操作が所定時間ない場合、当該詳細表示を終了し、前記簡易情報の表示に戻すとよい。
【００２８】
このようにすれば、たとえば、ユーザが誤って変更操作したい警告箇所とは異なる別の箇所の簡易情報を選択してしまった場合、その箇所の詳細情報の表示後、所定時間、変更操作をしなければ、元の簡易情報の表示に戻る。したがって、使い勝手がよくなる。
【００２９】
（９）前記記憶手段は、前記警告箇所に関する情報として、警告箇所の位置情報とともに当該警告箇所の位置情報に対応づけて警告の種別を記憶しており、前記警告態様設定手段は、前記警告の種別ごとに異なる表示態様で、前記警告箇所を表示するとよい。このようにすれば、警告の種別ごとに異なる表示態様で、警告箇所が表示される。したがって、経路検索をした時点で警告箇所での警告の種別が分かるので、当該警告の種別とその場所をみて予め警告の種別に応じた対応をとることが可能となる。
【００３０】
なお、警告箇所の表示態様としては、例えば、警告の種別を表象するアイコンやマークや文字とするとよい。例えば、表示態様としては、マークは同じものとして、種別によって色を異なるようにしてもよい。
【００３１】
（１０）そして、さらに前記警告態様設定手段は、前記警告の種別ごとの警告態様を設定するとよい。このようにすれば、例えば、ある警告種別はすべて警告しないという警告態様に設定したい場合に、単に当該警告の種別に対する警告態様を設定するだけでよく、個別の警告箇所ごとに警告態様を設定する必要がなくなり、設定の手間が省ける。
【００３２】
（１１）前記経路検索手段は、前記経路を複数検索し、前記経路表示手段は、前記経路検索手段によって検索された複数の経路を表示し、さらに、前記経路表示手段に表示された複数の経路の中からナビゲーション対象とする経路を選択する経路選択手段を備えるとよい。このようにすれば、例えば複数の経路から最も警告箇所が少ない経路をナビゲーションの対象として容易に設定できる。
【００３３】
（１２）特に、前記経路検索手段によって検索された各経路の警告箇所の数に関する表示を行う経路別警告対象箇所数表示手段を備えるとよい。このように各経路の警告箇所の数に関する表示を行えば、どの経路を選択すべきか容易に判断ができる。特に、警告箇所の数は、警告の種別ごとに表示するとよい。このようにすれば、ユーザが特に避けたい種別がある場合には、その種別の数に着目して、ナビゲーション対象の経路を選択することが容易にできる。開始位置設定手段は、例えば、位置検出手段によって設定された現在位置を開始位置として設定してもよい。
【００３４】
（１３）また、前記開始位置設定手段は、ユーザからの入力に基づき前記開始位置を設定し、前記終了位置設定手段は、ユーザからの入力に基づき前記終了位置を設定してもよい。このようにすれば、任意の区間での警告箇所の警告態様を設定することができる。たとえば、過去に走行した道路で警告がなされて煩わしかった警告箇所の警告態様を変更することなどが、容易にできる。
【００３５】
（１４）また、前記警告態様設定手段は、前記警告箇所における警告態様を不揮発性の記憶装置に記憶することで設定するとよい。このようにすれば、電子機器の電源を切ってもユーザによって設定された警告箇所の警告態様が消えることがなく、再設定の手間がかからない。
【発明の効果】
【００３６】
本発明によれば、従来よりも使い勝手のよいレーダー探知機、ナビゲーション装置等の車載用電子機器を提供することができる。
【図面の簡単な説明】
【００３７】
【図１】本発明の好適な一実施形態であるナビゲーション装置の構成を示す図である。
【図２】ナビゲーション装置のブロック図を示す図である。
【図３】表示部への警告画面の表示例を示す説明図である。
【図４】交通監視ポイントの表示例を示す説明図である。
【図５】交通監視ポイントの別の表示例を示す説明図である。
【図６】交通監視ポイントのタッチが検出された際の設定の遷移を示す説明図である。
【図７】交通監視ポイント種別指定の例を示す説明図である。
【図８】警告ポイント数（交通監視ポイントの数）等の表示例を示す説明図である。
【発明を実施するための形態】
【００３８】
図１，図２は、本発明の好適な一実施の形態であるナビゲーション装置の構成を示している。本ナビゲーション装置は、車両のダッシュボード上に設置される薄型矩形状のケース本体３０を有する。ケース本体３０の前面には、表示部５を備え、表示部５上には表示部５のどの部分がタッチされたかを検出するタッチパネル２１を備え、前面の両サイドには警報ランプ６を備えている。側面にはＳＤカードメモリ用スロット部３１を備え、そのＳＤカードメモリ用スロット部３１に地図データなどが記録されたＳＤメモリカードを挿入可能としている。本ナビゲーション装置は、係るナビゲーションを行なう際の地図データを上記のＳＤメモリカードに格納された地図データ等を利用して行なう。また、ＳＤカードメモリ用スロット部３１とは反対側の側面には、ＵＳＢ端子２２を設けており、パソコンと接続し、ソフトウェアアプリケーションのバージョンアップなどを行なうことができる。また、本ナビゲーション装置は、ナビゲーション機能に加え、車両速度測定装置等を検出するレーダー探知機としての機能も備えている。
【００３９】
図２は、本ナビゲーション装置の機能ブロック図である。ケース本体３０の背面側内部にマイクロ波受信器４を配置し、ケース本体３０の前面に表示部５と警報ランプ６と赤外線通信機７とを配置している。また、ケース本体３０の上面側内部には、ＧＰＳ受信器８を配置している。さらに、ケース本体３０の一方の側面には、アダプタージャック９を配置し、他方の側面には電源スイッチ１０並びにＤＣジャック１１を配置する。また、ケース本体３０内には、スピーカも内蔵されている。赤外線通信機７は携帯電話機１２等の赤外線通信機を内蔵した通信装置との間でデータの送受を行なう。アダプタージャック９は、メモリカードリーダ１３を接続する端子である。アダプタージャック９にメモリカードリーダ１３を接続することで、そのメモリカードリーダ１３に装着されたメモリカード１４に格納されたデータを内部に取り込むことができる。より具体的には、メモリカード１４に格納されたデータは、新規な目標物の情報（経度・緯度を含む位置情報，種別情報等）などの更新情報があり、その更新情報が制御部１８経由で装置に内蔵されるデータベース１９に格納（ダウンロード）され、データ更新がされる。データベース１９は、制御部１８のマイコン内あるいはマイコンに外付けした不揮発性メモリ（たとえばＥＥＰＲＯＭ）により実現できる。なお、データベース１９には、出荷時に一定の目標物に関する情報が登録されており、その後に追加された目標物についてのデータ等が上記のようにしてデータ更新される。また、データ更新は、赤外線通信機７を介して行なうこともできる。
【００４０】
ＤＣジャックは、図示省略のシガープラグコードを接続するためのもので、そのシガープラグコードを介して車両のシガーソケットに接続して電源供給を受け得るようにする。更に、本実施形態の装置は、無線受信器１５とリモコン受信器１６を備えている。無線受信器１５は、飛来する所定周波数の無線を受信する。リモコン受信器１６は、リモコン（携帯機：子機）１７とデータ通信をし、装置に対する各種の設定を行なう。
【００４１】
また、制御部１８は、上記の各種の入力機器（ＧＰＳ受信器８、マイクロ波受信器４、無線受信器１５、タッチパネル２１、リモコン受信器１６等）から入力される情報に基づき所定の処理を実行し、出力機器（表示部５，警報ランプ６，スピーカ２０等）を利用して所定の警報・メッセージを出力する。なお、これらの基本構成は、基本的に従来のものと同様のものを用いることができる。
【００４２】
本実施形態のナビゲーション装置における機能は、制御部１８に有するコンピュータが実行するプログラムとして制御部１８のＥＥＰＲＯＭ上に格納され、これを制御部１８に有するコンピュータが実行することで実現される。
【００４３】
データベース１９は、ナビゲーション用の道路ネットワーク情報を記憶している。制御部１８は、この道路ネットワーク情報を利用してある位置から別の位置に至るルート（経路）を検索することができる。また、データベース１９は、電話番号とその電話番号の住宅・会社・施設等の位置情報及び名称とを対応づけて記憶した電話番号データベースと、住所とその住所の位置情報とを対応づけて記憶した住所データベースを備える。またデータベース１９には、速度測定装置等の交通監視ポイントの位置情報がその種類とともに記憶されている。
制御部１８は、データベース１９から現在位置周辺の道路ネットワーク情報を読み出し、現在位置周辺の地図を表示部５に表示する機能を有する。
【００４４】
また、制御部１８は、ＧＰＳ受信器８によって検出した現在位置とデータベース１９に記憶している交通監視ポイントの位置が、５００ｍ以下の距離に接近した場合に、当該交通監視ポイントが後述するキャンセルモードに設定されていない場合には、図３に示すように、表示部５に、現在表示中の画面に重ねて警告画面７０を表示する。図３は、地図５０を表示している際に、現在位置と交通監視ポイントの一つである速度測定装置の一種であるＬＨシステムとの距離が５００ｍになった場合の警告画面７０の表示例を示している。さらに、当該交通監視ポイントが後述するキャンセルモードに設定されておらず、サイレントモードにも設定されていない場合には、「５００ｍ先ＬＨシステムです」といった警報種類と距離を示す警告音声をスピーカ７から出力する処理を行う。
【００４５】
また、制御部１８は、一般的なナビゲーション装置の処理を行う機能を有する。すなわち、表示部５に現在位置周辺の地図を随時表示し、目的地設定ボタンを表示する。制御部１８は、タッチパネル２１によって、目的地設定ボタンの表示位置に対応する位置の押下が検出された場合に、目的地設定処理を行う。目的地設定処理では、目的地設定メニューを表示部５に表示し、目的地の設定方法の選択をユーザに促す。目的地設定メニューは、目的地の設定方法の選択をユーザに促す電話番号検索ボタンと住所検索ボタンとを有する。電話番号検索ボタンが押下された場合には、電話番号の入力画面を表示し、入力された電話番号に対応する位置情報をデータベース１９から取得する。住所検索ボタンが押下された場合には、住所の選択入力画面を表示し、入力された住所に対応する位置情報をデータベース１９から取得する。そして、取得した位置情報を目的地の位置情報として設定し、現在位置から目的地までの推奨経路を、データベース１９に記憶している道路ネットワーク情報に基づいて求める。この推奨経路の算出方法としては例えばダイクストラ法など公知の手法を用いることができる。
【００４６】
そして、制御部１８は、算出した推奨経路を、周辺の地図とともに表示する。例えば、図４に示すように、現在位置５１から目的地５２にいたるルート５３を推奨経路として、所定の色（例えば赤色）で表示する。さらに、制御部１８は、ルート５３上の位置情報とデータベース１９に記憶された交通監視ポイントの位置情報とを比較し、ルート５３上に位置する交通監視ポイントの位置を表示する。例えば、図４に示すように、道路上の位置から吹き出しを表示し、データベース１９に記憶されたその位置の交通監視ポイントの種類を吹き出しの中に表示する。例えば、図４（ａ）は、警告ポイント検索画面の表示例であり、交通監視ポイント５５ａから５５ｆを表示した例を示している。交通監視ポイント５５ａは、Ｎシステムを示す「Ｎ」の文字を吹き出しの中に表示している。交通監視ポイント５５ｂ、５５ｃ、５５ｅは、ＬＨシステムを示す「ＬＨ」の文字を吹き出しの中に表示している。交通監視ポイント５５ｄは、ループコイルを示す「ループ」の文字を吹き出しの中に表示している。交通監視ポイント５５ｆは、Ｈシステムを示す「Ｈ」の文字を吹き出しの中に表示している。このように、吹き出しの中に文字を表示する簡略表示状態の吹き出し位置へのタッチがタッチパネル２１によって検知された場合には、図４（ｂ）に示すように、簡易表示を詳細表示へと切り替える。詳細表示は、図３に示した警告画面を吹き出しの中に表示するものである。図５は、図４（ａ）の交通監視ポイント５５ｂの吹き出しの内部がタッチされたことを検出した場合に、簡易表示から詳細表示に切り替えた表示例を示している。この初期状態を通常モードと称する。
【００４７】
さらに、図６に示すように、通常モードで、詳細表示の交通監視ポイントのタッチを検出すると、「サイレント」の文字を表示し、当該交通監視ポイントをサイレントモードに切り替える。サイレントモードは、図３のように交通監視ポイントに接近した際の表示部５への表示による警告は行なうが、音声による警告は行なわないモードである。また、図６に示すように、サイレントモードで、さらに詳細表示の交通監視ポイントのタッチを検出すると、「キャンセル」の文字を表示し、当該交通監視ポイントをキャンセルモードに切り替える。キャンセルモードは、図３の表示による警告も、音声による警告も行なわないモードである。さらにキャンセルモードで、詳細表示の交通監視ポイントのタッチを検出すると、図６に示すように、簡易表示に変更し、通常モードに切り替える。なお、詳細表示状態で、所定の表示時間（５秒）を越えてタイムオーバーになった場合には、当該交通監視ポイントにおける設定されたそのモードは保持したまま、簡易表示に切り替える。例えば、キャンセルモードの詳細表示状態で当該交通監視ポイントに５秒間タッチがなければタイムオーバーにあたるとして当該交通監視ポイントはキャンセルモードに設定したまま簡易表示に切り替える。なお、この５秒間は、設定で変更できるようにしてもよいし、タイムオーバーの有効・無効を設定できるようにし、タイムオーバーが無効に設定されている場合には、詳細表示でタッチがない場合であっても簡易表示には切り替えずそのまま詳細表示を維持するようにしてもよい。
【００４８】
以上のような処理をすることで、ルート５３を通過する際に必要となる警告箇所が表示される。したがって、ルート５３を通過する際の警告箇所を予め知ることができる。また、このようにすれば、表示された交通監視ポイントの警告態様を、ユーザからの入力に基づき設定することができ、設定した警告態様（音と表示による警告を行なう通常モード、または、光による警告のみを行ない音による警告を行なわない態様であるサイレントモード、または、警告を行なわない態様であるキャンセルモード）に基づいて警告処理がなされる。したがって、ユーザが望む警告態様での警告がされることなり、ユーザが持つ警告態様の不満を、事前に防止ないし解消することができる。
【００４９】
また、表示部５に表示された経路上に存在する複数の交通監視ポイントの中から、ユーザが選択した交通監視ポイントが設定対象とされ、交通監視ポイントごとに警報態様が設定できる。したがって、例えば、経路上の警告がうるさく感じられる区間の中で不要な警告箇所だけ警告を行なわない警告態様等とすることができる。
【００５０】
また、簡易情報と詳細情報とを切り替え可能としたことで、画面を有効利用することができ、わかりやすい表示を行うことができる。また、詳細情報は、図３に示した表示部５に表示する警告内容を含む情報としているため、その地点に接近した際に、どのような警告がなされるのかが詳細情報を見るだけで事前に分かる。したがって、警告態様を変更すべき交通監視ポイントであるのかどうかを容易に判断することができ、設定をさらに容易に行うことができる。
【００５１】
また、当該交通監視ポイントの位置から吹き出しを描画し当該吹き出しの中に詳細情報を表示するようにしたので、どの場所でどのような警告がなされるかその対応関係を容易に把握することができる。
【００５２】
また、図４（ａ）に示すように表示部５の右下には、交通監視ポイント種別指定部５６を表示する。交通監視ポイント種別指定部５６は、ルート５３上に存在する交通監視ポイントの種別を列挙したボタン表示を行う部分である。図４（ａ）の例では、交通監視ポイント５５ａのＮシステムを示す「Ｎ」の種別ボタン５７ａと、交通監視ポイント５５ｂ、５５ｃ、５５ｅのＬＨシステムを示す「ＬＨ」の種別ボタン５７ｂと、交通監視ポイント５５ｄのループコイルを示す「ループ」の種別ボタン５７ｃと、交通監視ポイント５５ｆのＨシステムを示す「Ｈ」の種別ボタン５７ｄを表示している。制御部１８は、この種別ボタンの表示部へのタッチをタッチパネル２１から検出した場合、タッチされた種別ボタンを反転表示するとともに、タッチされた種別ボタンに対応する交通監視ポイントの表示態様を、簡易表示中であれば詳細表示に切り替え、詳細表示中であれば簡易表示中に切り替える。図７は、図４（ａ）の表示状態で、「ＬＨ」の種別ボタン５７ｂがタッチされた場合の表示例を示している。すなわち、「ＬＨ」の交通監視ポイント５５ｂ、５５ｃ、５５ｅを図４（ａ）の簡易表示から図７の通常モードの詳細表示に一括変更して表示を行う。さらに、「ＬＨ」の種別ボタン５７ｂがタッチされた場合、図６に示して説明したのと同様に、「ＬＨ」の交通監視ポイント５５ｂ、５５ｃ、５５ｅをサイレントモードに一括変更してその表示を行う。さらに、「ＬＨ」の種別ボタン５７ｂがタッチされた場合、図６に示して説明したのと同様に、「ＬＨ」の交通監視ポイント５５ｂ、５５ｃ、５５ｅをキャンセルモードに一括変更してその表示を行う。さらに「ＬＨ」の種別ボタン５７ｂがタッチされた場合、図６に示して説明したのと同様に、「ＬＨ」の交通監視ポイント５５ｂ、５５ｃ、５５ｅを通常モードにして、簡易表示に一括変更してその表示を行う。
【００５３】
このようにして、ある種別の交通監視ポイントはすべて警告しないという警告態様に設定したい場合に、単に交通監視ポイントの種別に対する種別ボタンをタッチして警告モードをキャンセルモード等に設定するだけでよく、個別の警告箇所ごとに警告モードを設定する必要がなくなり、設定の手間が省ける。
【００５４】
さらに、詳細情報を表示した後、詳細情報に対応する交通監視ポイントへのタッチが所定時間ない場合、当該詳細表示を終了し、前記簡易情報の表示に戻すため、たとえば、ユーザが誤って変更操作したい交通監視ポイントとは異なる別の箇所の簡易情報をタッチしてしまった場合にも、その箇所の詳細情報の表示後、所定時間、変更操作をしなければ、元の簡易情報の表示に戻る。したがって、使い勝手がよくなる。
【００５５】
また、警告の種別ごとにその種別を示す表示態様で、交通監視ポイントの簡易表示や詳細表示をするため、経路検索をした時点で各交通監視ポイントでの警告の種別が分かる。したがってその警告の種別とその場所をみて予め警告の種別に応じた対応をとることが可能となる。
【００５６】
なお、各交通監視ポイントにおける警告態様（通常モード、サイレントモード、キャンセルモード）は、不揮発性の記憶装置に記憶するとよい。このようにすれば、電子機器の電源を切ってもユーザによって設定された警告箇所の警告態様が消えることがなく、再設定の手間がかからない。
【００５７】
なお、本実施例では、図３に示すように、警告画面７０を表示部５の中央に表示することとしたが、これに限らず各種の態様を採ることができる。例えば、図５の交通監視ポイント５５ｂに示す表示と同様の表示を警告画面としてもよい。すなわち、吹き出し等により道路上の位置と関連付けて警告画面を表示するようにしてもよい。
【００５８】
さらに、本ナビゲーション装置は、ルート検索とは別に、地図上での任意の始点と終点を指定し、指定した区間の複数の推奨経路（ルート）を検索して表示する機能を備える。図８は、制御部１８が、表示部５に表示した地図上で、タッチパネル２１から、始点６１の位置のタッチを検出した後、終点６２の位置のタッチを検出した場合の表示例を示す図である。制御部１８は、始点６１から終点６２に至る推奨経路を複数検索し表示する。図８では、ルート６３ａとルート６３ｂの２つのルートを検索し表示している。そして、各ルート上から吹き出しを表示し、吹き出しの内部にそのルートにおける走行時間、走行距離、警告ポイント数（交通監視ポイントの数）を、データベース１９に格納された道路ネットワーク情報及び交通監視ポイントの位置情報から算出して表示する。すなわち、走行距離はルートの道路ネットワークに含まれる各道路の開始点及び終了点の位置情報の距離を積算して求め、走行時間は求めた走行距離をＧＰＳ受信器から出力される時速の平均値で除算して求め、警告ポイント数はルートの道路ネットワーク上に存在する交通監視ポイントの数をカウントして求める。図８の表示例では、ルート６３ａについて走行時間１時間、走行距離２２ｋｍ、警告ポイント（の数）１０（箇所）の表示を行っている。また、ルート６３ｂについて走行時間１．５時間、走行距離３０ｋｍ、警告ポイント（の数）１（箇所）の表示を行っている。なお、ルート６３ａは赤色、ルート６３ｂは青色と両者は異なる色で表示している。
【００５９】
この画面上で、いずれかのルート６３のタッチが検出されると、そのルート６３について、図４（ａ）に示して説明した画面と同様の警告ポイント検索画面を表示する。以後、図４〜図７に示して説明したのと同様の設定を行うことが可能である。
【００６０】
このように各ルートの警告ポイントの数を表示するので、どの経路を選択すべきか容易に判断ができる。例えば、複数の経路から最も警告箇所が少ない経路をナビゲーションの対象として容易に設定できる。また、走行時間や走行距離、警告ポイント数を総合的に加味して、ルートを選択することができる。なお、警告箇所の数は、警告の種別ごとに表示するようにしてもよい。このようにすれば、ユーザが特に避けたい種別がある場合には、その種別の数に着目して、ナビゲーション対象の経路を選択することが容易にできる。
【００６１】
また、ユーザがタッチした任意の区間での警告ポイントの警告態様を設定することができる。たとえば、過去に走行した道路で警告がなされて煩わしかった警告箇所の警告態様を変更することなどが、容易にできる。
【符号の説明】
【００６２】
４      マイクロ波受信器
５      表示器
６      ランプ
７      赤外線通信機
８      ＧＰＳ受信器
９      アダプタージャック
１２      携帯電話機
１３      メモリカードリーダ
１４      メモリカード
１５      無線受信器
１６      リモコン受信器
１７      リモコン
１８      制御部
１９      データベース
２０      スピーカ
２１      タッチパネル
３０      ケース本体
３１      ＳＤカードメモリ用スロット部
５０      地図
５１      現在位置
５２      目的地
５３      ルート
５５      交通監視ポイント
５６      交通監視ポイント種別指定部
５７      種別ボタン
【図１】
2010223620.tif 000003
【図２】
2010223620.tif 000004
【図３】
2010223620.tif 000005
【図４】
2010223620.tif 000006
【図５】
2010223620.tif 000007
【図６】
2010223620.tif 000008
【図７】
2010223620.tif 000009
【図８】
2010223620.tif 000010